(57)【要約】【課題】容易な操作により２種類の流動物を所望の比率で吐出できるようにする。【解決手段】流動物吐出装置１は、収容印加部３の押板１６を比較的薄く構成して可撓性を持たせると共に幅方向に沿った補強部１６Ｒを形成し、さらに押部１６Ｐを設け、剛性を高めた基板１５と当該押板１６との間に２本の流動物容器７０Ａ及び７０Ｂを幅方向に沿って並べて収容する。流動物吐出装置１は、押板１６の押部１６Ｐに対し裏側へ向かう力が加えられると、軸方向に関し当該押板１６自体又は当該押板１６及び連結部１７との接続部分において撓む一方、幅方向に関し撓むこと無く流動物容器７０Ａ及び７０Ｂに同程度の力を加えることができるので、それぞれの吐出部７４から連通された吐出部１３の吐出口１３Ｓからほぼ同量の流動物をそれぞれ吐出させることができる。【選択図】図１
2015020799.tif 000002
【特許請求の範囲】
【請求項１】
所定の混合比率で混合すべき２種類の流動物がそれぞれ収容されると共に該流動物を吐出する吐出部をそれぞれ有する２本の流動物容器を、所定の並列方向に沿って並列し収容する収容部と、
前記流動物容器をそれぞれ固定する固定部と、
前記収容部の外側から内側へ向けて外力が加えられる外力印加部と、
前記外力印加部に加えられる外力を前記流動物容器それぞれに伝達し、前記流動物の収容容積を前記混合比率に応じた容積ずつ削減させるようその形状を変形させる外力伝達部と
を具えることを特徴とする流動物吐出装置。
【請求項２】
前記外力伝達部は、
前記並列方向に沿った変形を防止する変形防止部
をさらに具えることを特徴とする請求項１に記載の流動物吐出装置。
【請求項３】
前記外力伝達部は、
前記並列方向と交差する交差方向に段階的に屈曲する段階屈曲部
を更に具えることを特徴とする請求項２に記載の流動物吐出装置。
【請求項４】
前記混合比率は１対１であり、
前記外力印加部は、前記並列方向に関し前記外力伝達部から２本の前記流動物容器それぞれに外力を伝達する伝達箇所同士の中点に位置する
ことを特徴とする請求項３に記載の流動物吐出装置。
【請求項５】
所定の混合比率で混合すべき２種類の流動物がそれぞれ収容されると共に該流動物を吐出する吐出部をそれぞれ有する２本の流動物容器を、所定の並列方向に沿って並列し収容する収容部と、
前記流動物容器をそれぞれ固定する固定部と、
前記流動物容器における前記吐出部及びその反対側を結ぶ軸方向及び前記並列方向のいずれとも直交する回転軸を中心に回転する操作ダイヤルと、
前記操作ダイヤルに加えられる外力を基に、前記操作ダイヤルと共に前記軸方向に沿って移動しながら前記流動物の収容容積を前記混合比率に応じた容積ずつ削減させるようその形状を変形させる外力伝達部と
を具えることを特徴とする流動物吐出装置。
【請求項６】
前記流動物容器は、
前記軸方向に沿って伸縮することによりその容積を増減させ、
前記外力伝達部は、
前記流動物容器における前記吐出口の反対側である底部に対し、当該吐出口へ向かう方向へ力を加える
ことを特徴とする請求項５に記載の流動物吐出装置。
【請求項７】
前記外力伝達部は、
前記操作ダイヤルの回転に伴い回転するローラと、当該ローラの外周面との間に所定の隙間を形成する押付体とをさらに具え、当該ローラと当該押付体との間に前記流動物容器を挟み込む
ことを特徴とする請求項５に記載の流動物吐出装置。
【請求項８】
所定の混合比率で混合すべき２種類の流動物がそれぞれ収容されると共に該流動物を吐出する吐出部をそれぞれ有する２本の流動物容器を、所定の並列方向に沿って並列し収容する収容部と、
前記流動物容器をそれぞれ固定する固定部と、
前記流動物容器における前記吐出部及びその反対側を結ぶ軸方向に沿った回転軸を中心に回転する操作ダイヤルと、
前記操作ダイヤルに加えられる外力を基に、前記軸方向に沿って移動しながら前記流動物の収容容積を前記混合比率に応じた容積ずつ削減させるようその形状を変形させる外力伝達部と
を具えることを特徴とする流動物吐出装置。
【請求項９】
前記外力伝達部は、
前記収容部との間に前記流動物容器を挟み込む
ことを特徴とする請求項８に記載の流動物吐出装置。
【発明の詳細な説明】
【技術分野】
【０００１】
本発明は流動物吐出装置に関し、例えば２種類の流動物を所定比率で混合して使用する毛染め剤を収容する容器に適用して好適なものである。
【背景技術】
【０００２】
従来、毛染め剤としては、例えば酸化染料を含有する流動物である第１剤と、過酸化水素等の酸化剤を含有する流動物である第２剤とのように、２種類の流動物を所定比率で混合して使用する、いわゆる二剤型のものが広く普及している。
【０００３】
このような毛染め剤は、例えばチューブ状の容器に互いに別々に収容されており、使用の直前にトレイ等に所定比率となるようにそれぞれ絞り出され、ブラシやへら等により混合された後、毛髪に塗布される。
【０００４】
使用者にこのようなチューブ状の容器から所望量の流動物を絞り出させる作業は、使用者に繊細な力加減の調整をさせることになり、必ずしも容易とは言えなかった。
【０００５】
そこで、チューブ状の容器から流動物を絞り出すための器具として、チューブ状の容器を２本のローラにより挟み込み、該ローラに対しギア等を介して歯合されたつまみを回転させることにより、該つまみの回転量に応じた量の流動物を吐出させる器具が提案されている（例えば、特許文献１参照）。
【先行技術文献】
【特許文献】
【０００６】
【特許文献１】実開平２−７３１４０号公報（第２図、第３図等）
【発明の概要】
【発明が解決しようとする課題】
【０００７】
ところで、上述した二剤型の毛染め剤は、使用の直前に２種類の流動物の容積を所定の混合比率とするように混合する必要がある。
【０００８】
このため、上述した器具を用いたとしても、容器毎にローラの回転量をきめ細かく調節してそれぞれの吐出量を調節する必要があるため、使用者にとって煩雑であり、また必ずしも容易ではなかった。
【０００９】
本発明は以上の点を考慮してなされたもので、容易な操作により２種類の流動物を所望の比率で吐出し得る流動物吐出装置を提案しようとするものである。
【課題を解決するための手段】
【００１０】
かかる課題を解決するため本発明の流動物吐出装置においては、所定の混合比率で混合すべき２種類の流動物がそれぞれ収容されると共に該流動物を吐出する吐出口をそれぞれ有する２本の流動物容器を、所定の並列方向に沿って並列し収容する収容部と、流動物容器をそれぞれ固定する固定部と、収容部の外側から内側へ向けて外力が加えられる外力印加部と、外力印加部に加えられる外力を流動物容器それぞれに伝達し、流動物の収容容積を混合比率に応じた容積ずつ削減させるようその形状を変形させる外力伝達部とを設けるようにした。
【００１１】
これにより、使用者に所望する吐出量に応じた外力を外力印加部に加えさせるだけで、２本の流動物容器それぞれから、収容容積の削減量に相当し混合比率に応じた量の流動物を吐出することができる。
【００１２】
また本発明の流動物吐出装置は、所定の混合比率で混合すべき２種類の流動物がそれぞれ収容されると共に該流動物を吐出する吐出部をそれぞれ有する２本の流動物容器を、所定の並列方向に沿って並列し収容する収容部と、流動物容器をそれぞれ固定する固定部と、流動物容器における吐出部及びその反対側を結ぶ軸方向及び前記並列方向のいずれとも直交する回転軸を中心に回転する操作ダイヤルと、操作ダイヤルに加えられる外力を基に、操作ダイヤルと共に軸方向に沿って移動しながら流動物の収容容積を混合比率に応じた容積ずつ削減させるようその形状を変形させる外力伝達部とを設けるようにした。
【００１３】
さらに本発明の流動物吐出装置は、所定の混合比率で混合すべき２種類の流動物がそれぞれ収容されると共に該流動物を吐出する吐出部をそれぞれ有する２本の流動物容器を、所定の並列方向に沿って並列し収容する収容部と、流動物容器をそれぞれ固定する固定部と、流動物容器における前記吐出部及びその反対側を結ぶ軸方向に沿った回転軸を中心に回転する操作ダイヤルと、操作ダイヤルに加えられる外力を基に、操作ダイヤルと共に軸方向に沿って移動しながら流動物の収容容積を混合比率に応じた容積ずつ削減させるようその形状を変形させる外力伝達部とを設けるようにした。
【００１４】
これにより、使用者に所望する吐出量に応じた回転量だけ操作ダイヤルを回転させるだけで、２本の流動物容器それぞれから、収容容積の削減量に相当し混合比率に応じた量の流動物を吐出することができる。
【発明の効果】
【００１５】
本発明によれば、使用者に所望する吐出量に応じた外力を外力印加部に加えさせるだけで、２本の流動物容器それぞれから、収容容積の削減量に相当し混合比率に応じた量の流動物を吐出することができる。かくして本発明は、容易な操作により２種類の流動物を所望の比率で吐出し得る流動物吐出装置を実現できる。
【００１６】
また本発明によれば、使用者に所望する吐出量に応じた回転量だけ操作ダイヤルを回転させるだけで、２本の流動物容器それぞれから、収容容積の削減量に相当し混合比率に応じた量の流動物を吐出することができる。かくして本発明は、容易な操作により２種類の流動物を所望の比率で吐出し得る流動物吐出装置を実現できる。
【図面の簡単な説明】
【００１７】
【図１】第１の実施の形態による流動物吐出装置の構成を示す略線図である。
【図２】流動物容器の構成を示す略線図である。
【図３】固定部の構成を示す略線的斜視図である。
【図４】収容印加部の構成を示す略線的斜視図である。
【図５】支持体の構成を示す略線図である。
【図６】他の実施の形態による流動物吐出装置の構成を示す略線図である。
【図７】他の実施の形態による流動物容器の構成を示す略線図である。
【図８】他の実施の形態による流動物吐出装置の構成を示す略線的斜視図である。
【図９】他の実施の形態による流動物吐出装置の構成を示す略線図である。
【図１０】他の実施の形態による流動物吐出装置の構成を示す略線的斜視図である。
【図１１】他の実施の形態による流動物吐出装置の構成を示す略線図である。
【図１２】他の実施の形態による流動物吐出装置の構成を示す略線図である。
【図１３】他の実施の形態による突起の構成を示す略線図である。
【図１４】他の実施の形態による基板の構成を示す略線図である。
【図１５】他の実施の形態による固定部の構成を示す略線図である。
【図１６】第２の実施の形態による流動物吐出装置の構成を示す略線図である。
【図１７】第２の実施の形態による固定部及び収容印加部の構成を示す略線的斜視図である。
【図１８】クリップ及び板ばねの構成を示す略線図である。
【図１９】他の実施の形態による流動物吐出装置の構成を示す略線図である。
【図２０】第３の実施の形態による流動物吐出装置の構成を示す略線的斜視図である。
【図２１】押板の変形を示す略線図である。
【図２２】他の実施の形態による押板及び基板の構成を示す略線図である。
【図２３】他の実施の形態による流動物吐出装置の構成を示す略線図である。
【図２４】第４の実施の形態による流動物吐出装置の構成を示す略線図である。
【図２５】第４の実施の形態による流動物吐出装置の内部構成を示す略線図である。
【図２６】第５の実施の形態による流動物吐出装置の構成を示す略線図である。
【図２７】第５の実施の形態による流動物吐出装置の内部構成を示す略線図である。
【図２８】第５の実施の形態による流動物吐出装置の構成を示す略線図である。
【図２９】移動印加部の構成を示す略線的斜視図である。
【図３０】他の実施の形態による流動物吐出装置の構成を示す略線図である。
【図３１】他の実施の形態による流動物吐出装置の構成を示す略線図である。
【図３２】他の実施の形態による流動物吐出装置の構成を示す略線図である。
【図３３】他の実施の形態による流動物吐出装置の構成を示す略線図である。
【図３４】他の実施の形態によるローラの構成を示す略線的斜視図である。
【図３５】他の実施の形態による押付体の構成を示す略線図である。
【図３６】第６の実施の形態による流動物吐出装置の構成を示す略線図である。
【図３７】第６の実施の形態による流動物吐出装置の構成を示す略線図である。
【図３８】他の実施の形態による流動物吐出装置の構成を示す略線図である。
【図３９】第７の実施の形態による流動物吐出装置の構成を示す略線図である。
【図４０】第７の実施の形態による流動物吐出装置の構成を示す略線的斜視図である。
【図４１】第７の実施の形態による移動印加部の構成を示す略線図である。
【図４２】第８の実施の形態による流動物吐出装置の構成を示す略線図である。
【図４３】第８の実施の形態による流動物吐出装置の構成を示す略線的斜視図である。
【発明を実施するための形態】
【００１８】
以下、発明を実施するための形態（以下実施の形態とする）について、図面を用いて説明する。
【００１９】
［１．第１の実施の形態］
［１−１．流動物吐出装置の構成］
図１に示す流動物吐出装置１は、内部に２本の流動物容器７０Ａ及び７０Ｂを収納し、それぞれに収容されている２種類の流動物をそれぞれ吐出させるようになされている。
【００２０】
流動物容器７０Ａ及び７０Ｂには、例えば二剤方式の毛染め剤における２種類の流動物がそれぞれ収容されている。この２種類の流動物は、いずれも液状、ゲル状或いは泡状のような流動物であり、化学的な特性上、使用の直前に１対１の容積比率で混合されることにより、毛染め剤としての効用を最も良好に発揮することができる。
【００２１】
流動物容器７０Ａ及び７０Ｂ（以下、両者をまとめて流動物容器７０とも呼ぶ）は、図２に示すように、全体として細長い円筒状に構成されている。この流動物容器７０は、中空の円筒状に形成された筒状部７１と、その一端が潰されるように閉塞された末端部７２と、その他端において蓋状の部材により閉塞された蓋部７３と、流動物を吐出する吐出部７４とにより構成されている。
【００２２】
筒状部７１は、例えば樹脂材料によって構成されると共に可撓性を有しており、外力が加えられない場合にはその形状を維持する一方、比較的小さい力が加えられると容易に撓むようになされている。
【００２３】
吐出部７４は、中空の円筒状に形成されており、蓋部７３を介して筒状部７１内と連通され、その反対側から流動物を吐出させる。また吐出部７４の外周面には、螺旋状に溝が刻まれた装着部７５が設けられている。因みに、蓋部７３、吐出部７４及び装着部７５は、容易に変形しない程度の十分な強度を有している。説明の都合上、以下では流動物容器７０における筒状部７１の軸体に沿った方向に関し、蓋部７３及び吐出部７４がある側を先端側と呼び、末端部７２がある側を末端側とも呼ぶ。
【００２４】
流動物吐出装置１は、図３及び図４に示すように、大きく分けて、流動物容器７０Ａ及び７０Ｂをそれぞれ固定する固定部２と、流動物容器７０Ａ及び７０Ｂを収容すると共に力を印加する収容印加部３とにより構成される。
【００２５】
固定部２は、支持体１０に対し２本の流動物容器７０Ａ及び７０Ｂを並列に並べるようにして取り付けた構成となっている。説明の都合上、以下では、２個の流動物容器７０Ａ及び７０Ｂを並列させている方向を幅方向と呼ぶ。
【００２６】
支持体１０は、図５（Ａ）に斜視図を示すように、基部１１に対し案内部１２を介して吐出部１３が接続された構成となっている。因みに支持体１０は、例えば樹脂材料により構成されており、容易に変形しないような十分な強度を有している。
【００２７】
基部１１は、先端側が閉塞されると共に末端側が開放された箱状に形成されており、２本の流動物容器７０における先端側を包含するような大きさとなっている。また基部１１内には、図５（Ｂ）に末端側の平面図を示すと共に図５（Ｃ）にその断面図を示すように、流動物容器７０の吐出部７４よりも一回り大きな丸孔でなる装着孔１１Ａ及び１１Ｂが、幅方向に離れた２箇所に形成されている。この装着孔１１Ａ及び１１Ｂの内周面には、装着部７５と螺合する螺旋形状の溝が形成されている。
【００２８】
このため装着孔１１Ａ及び１１Ｂは、流動物容器７０の装着部７５と位置を合わせるようにして所定方向に回転されると、当該装着部７５と螺合する。これにより装着孔１１Ａ及び１１Ｂは、図５（Ｄ）に示すように、支持体１０に対し当該流動物容器７０を固定すると共に、当該流動物容器７０内の空間と当該装着孔１１Ａ及び１１Ｂ内の空間とを連通させることができる。さらに基部１１の外側面には、局所的に周囲よりも陥没した凹部１１Ｃが２箇所に形成されている。
【００２９】
案内部１２は、基部１１の先端側に突出するように設けられており、当該基部１１における幅方向のほぼ中央に位置している。また図５（Ｃ）に示したように、案内部１２の内部には、幅方向に区切られた２つの案内空間１２Ａ及び１２Ｂが形成されている。案内空間１２Ａ及び１２Ｂは、それぞれ装着孔１１Ａ及び１１Ｂと連通している。このため案内部１２は、２個の流動物容器７０Ａ及び７０Ｂから装着孔１１Ａ及び１１Ｂを介して２種類の流動物がそれぞれ流れ込んでくると、それぞれを混合すること無く案内空間１２Ａ及び１２Ｂ内へ案内する。
【００３０】
吐出部１３は、案内部１２の先端側に突出するように設けられており、先端側及び末端側を結ぶ方向（以下これを軸方向と呼ぶ）を軸体とする細長い中空の円筒状に形成されている。吐出部１３の内部は、幅方向のほぼ中央において２つの吐出空間１３Ａ及び１３Ｂに区切られており、それぞれ案内部１２の案内空間１２Ａ及び１２Ｂと連通している。このため吐出部１３は、案内部１２の案内空間１２Ａ及び１２Ｂからそれぞれ流動物が流れ込んでくると、これらを吐出空間１３Ａ及び１３Ｂそれぞれにおいて先端側へ導き、吐出口１３Ｓからそれぞれ吐出することができる。
【００３１】
一方、収容部としての収容印加部３（図４）は、板状の基板１５と、板状でなり流動物容器７０を挟んで当該基板１５と反対側に位置する押板１６と、流動物容器７０の末端側において基板１５及び押板１６を繋ぐ連結部１７と、基板１５における幅方向の両端に立設された側板１８及び１９とにより構成される。因みに収容印加部３は、例えば樹脂材料により構成される。
【００３２】
すなわち収容印加部３は、基板１５、押板１６、連結部１７並びに側板１８及び１９により、２個の流動物容器７０を収容する収容空間３Ｓを形成している。説明の都合上、以下では収容空間３Ｓに対し押板１６がある側を表側と呼び、基板１５がある側を裏側と呼ぶ。表側及び裏側を結ぶ方向（以下これを表裏方向とも呼ぶ）は、幅方向及び軸方向のいずれとも直交することになる。
【００３３】
基板１５は、軸方向の長さが筒状部７１の長さよりも僅かに長くなっており、また幅方向の長さが筒状部７１の直径の２倍よりも僅かに長くなっている。また基板１５は、その厚さが比較的大きく、剛性が高いため、外力が加えられた際にも容易に撓まずにその形状を極力維持することができる。
【００３４】
外力伝達部としての押板１６は、幅方向の長さが基板１５と同様に筒状部７１の直径の２倍よりも僅かに長くなっているものの、軸方向の長さが基板１５よりも短くなっている。また押板１６は、基板１５よりも薄いために剛性が低くなっており、さらに側板１８及び１９から切り離されている。
【００３５】
また押板１６の表側には、先端側及び末端側それぞれに、幅方向に沿って畝状に突出した変形防止部としての補強部１６Ｒが設けられている。これにより押板１６は、幅方向に関する剛性が高められている。すなわち押板１６は、軸方向に関しては剛性が比較的低い一方、幅方向に関しては剛性が比較的高くなっている。
【００３６】
さらに押板１６の表側における幅方向のほぼ中央且つ軸方向の中央からやや上端側寄りの位置には、周囲よりも表側に突出した押部１６Ｐが突設されている。外力印加部としての押部１６Ｐは、軸方向を長軸とする長円状ないし楕円状でなり、人間の指先程度の大きさとなっている。
【００３７】
このため押板１６は、押部１６Ｐに対し表側から裏側へ向かう方向へ、すなわち収容空間３Ｓへ向かう方向へ外力が加えられた場合、軸方向に関しては撓むものの、幅方向に関しては殆ど撓むことなく、この幅方向に力を分散するように伝達することができる。
【００３８】
連結部１７は、その内部に流動物容器７０の末端部７２を挟む挟持部（図示せず）が形成されている。また側板１８及び１９は、いずれも板状に形成されている。側板１８及び１９の表側における先端側近傍には、それぞれ内側に向けて爪部２４Ａ及び２５Ａが垂設されている。
【００３９】
このように収容印加部３は、流動物容器７０Ａ及び７０Ｂを表側及び裏側から挟むような位置に押板１６及び基板１５を配置している。
【００４０】
［１−２．動作及び効果］
以上の構成において、流動物吐出装置１は、固定部２の支持体１０における基部１１の装着孔１１Ａ及び１１Ｂに対し、２本の流動物容器７０Ａ及び７０Ｂがそれぞれの装着部７５を螺合されることにより、幅方向に沿って並列するように取り付けられる。また流動物容器７０Ａ及び７０Ｂは、末端部７２の長手方向を幅方向と平行に揃えるよう、その向きが調整される。
【００４１】
続いて流動物吐出装置１は、収容印加部３の上端側から固定部２が下端側へ移動されると、当該固定部２に取り付けられた流動物容器７０Ａ及び７０Ｂを収容空間３Ｓ内に収容し、爪部１８Ａ及び１９Ａを基部１１の凹部１１Ｃに係合させて一体化する。これにより流動物吐出装置１は、流動物容器７０Ａ及び７０Ｂの筒状部７１を幅方向に沿ってほぼ平行となるように並ばせ、且つ基板１５及び押板１６の間に挟んだ状態となる（図１）。
【００４２】
流動物吐出装置１は、使用者の指先等により、押板１６の押部１６Ｐに対し、基板１５側へ押し込む方向に力が加えられる。因みに流動物吐出装置１は、例えば使用者の指先により押板１６及び基板１５をそれぞれの外面側から把持するようにして力が加えられる場合や、机の上等に基板１５の板面をほぼ水平とするように載置され、上方から押板１６を下方へ押し込むようにして力が加えられる場合が想定される。
【００４３】
このとき押板１６は、補強部１６Ｒにより幅方向に関して剛性が高められているため、幅方向に関しては殆ど撓むことなく、軸方向に関して撓み、基板１５に近接していく。このため押板１６は、押部１６Ｐに加えられた力を幅方向に分散するようにして、流動物容器７０Ａ及び７０Ｂそれぞれに伝達し、それぞれの筒状部７１に対し押し潰すような力として作用させることができる。
【００４４】
これに応じて流動物容器７０Ａ及び７０Ｂは、それぞれ筒状部７１が変形することによりその容積を減少させ、収容している流動物を軸方向に沿って末端側から先端側へ送り出し、それぞれの吐出部７４から吐出させる。
【００４５】
流動物容器７０Ａ及び７０Ｂそれぞれの吐出部７４から吐出された２種類の流動物は、互いに混合すること無く、装着孔１１Ａ及び１１Ｂ内、案内空間１２Ａ及び１２Ｂ内、及び吐出空間１３Ａ及び１３Ｂ内を順次通り、最終的に吐出口１３Ｓから吐出される。
【００４６】
ここで押板１６は、幅方向のほぼ中央に押部１６Ｐが位置しており、且つ幅方向に沿って補強部１６Ｒにより補強されている。このため流動物吐出装置１は、この押板１６から流動物容器７０Ａ及び７０Ｂに対して同程度の力を加えることにより、同程度に変形させて、同程度に容積を減少させることができる。
【００４７】
これにより流動物容器７０Ａ及び７０Ｂは、それぞれの吐出部７４から同程度の量の流動物を吐出することができる。このため使用者は、吐出口１３Ｓから吐出された２種類の流動物を混合するだけで、最適な比率である１対１の比率で混合された毛染め剤を生成することができる。
【００４８】
このように流動物吐出装置１は、使用したい流動物の量に応じた力を押板１６の押部１６Ｐに加えさせるだけで、流動物容器７０Ａ及び７０Ｂから、同程度の量の、すなわち適切な混合比率となる量の流動物をそれぞれ吐出させることができる。すなわち使用者は、流動物容器７０Ａ及び７０Ｂそれぞれに対し、別個に力を加えて同程度の量の流動物を吐出させるよう調整する、といった繁雑な作業をする必要が無い。
【００４９】
また流動物吐出装置１は、基板１５及び押板１６をいずれも平板状に形成した。このため流動物吐出装置１は、押板１６を基板１５に極力近づけるように押し込ませるだけで、流動物容器７０Ａ及び７０Ｂそれぞれの容積を格段に減少させることができ、収容されている流動物を無駄なく絞り出すことができる。
【００５０】
さらに収容印加部３は、樹脂材料により構成し、押板１６を比較的薄く構成して可撓性を持たせると共に、当該押板１６に幅方向に沿った補強部１６Ｒを形成した。これにより収容印加部３は、軸方向に関して押板１６自体又は当該押板１６と連結部１７との接続部分において撓むことと、幅方向に関して撓むこと無く力を伝達することとを両立させることができる。
【００５１】
このため流動物吐出装置１は、複雑な回動機構等を設けること無く、極めて簡素な構成により、基板１５に対し押板１６を近接させることができ、且つ流動物容器７０Ａ及び７０Ｂそれぞれに対し、ほぼ均等に力を加えることができる。
【００５２】
以上の構成によれば、第１の実施の形態による流動物吐出装置１は、収容印加部３の押板１６を比較的薄く構成して可撓性を持たせると共に幅方向に沿った補強部１６Ｒを形成し、さらに押部１６Ｐを設け、剛性を高めた基板１５と当該押板１６との間に２本の流動物容器７０Ａ及び７０Ｂを幅方向に沿って並べて収容する。流動物吐出装置１は、押板１６の押部１６Ｐに対し裏側へ向かう力が加えられると、軸方向に関し当該押板１６自体又は当該押板１６及び連結部１７との接続部分において撓む一方、幅方向に関し撓むこと無く流動物容器７０Ａ及び７０Ｂに同程度の力を加えることができるので、それぞれの吐出部７４から連通された吐出部１３の吐出口１３Ｓからほぼ同量の流動物をそれぞれ吐出させることができる。
【００５３】
［１−３．他の実施の形態］
なお上述した第１の実施の形態においては、押板１６の表側における２箇所に、幅方向に沿った補強部１６Ｒを設ける場合について述べた。しかしながら本発明はこれに限らず、押板１６の表側又は裏側に、１箇所又は３箇所以上の補強部１６Ｒを設けるようにしても良い。また、押板１６の内部に金属棒のような強度の高い材料を内蔵することにより、幅方向の強度を高めても良い。或いは、押板１６単体として幅方向の強度が十分に高い場合には、補強部１６Ｒを省略しても良い。
【００５４】
また上述した第１の実施の形態においては、押板１６に設ける押部１６Ｐを周囲よりも表側へ突出させる場合について述べた。しかしながら本発明はこれに限らず、押部１６Ｐを例えば周囲よりも裏側へ凹ませても良く、また周囲と異なる表面加工処理を施しても良く、或いは所定のパターンを印刷しても良い。すなわち押部１６Ｐとしては、押板１６のうち押すべき場所を使用者に容易に認識させることができるよう、周囲と異なる形状、模様や色彩等を有していれば良い。
【００５５】
さらに上述した第１の実施の形態においては、流動物吐出装置１を固定部２及び収容印加部３の組み合わせにより構成し、当該固定部２の支持体１０及び収容印加部３を所定の樹脂材料に所定の成型処理等を施すことによってそれぞれ構成する場合について述べた。
【００５６】
しかしながら本発明はこれに限らず、例えば図６（Ａ）に示すように、紙等でなる薄板状の材料が所定形状に切り出された板材２１を所定の折曲線（図中破線で示す）に沿って適宜折り曲げることにより、図６（Ｂ）に示すような流動物吐出装置２０を組み立てることができる。
【００５７】
この流動物吐出装置２０は、２本の流動物容器８０Ａ及び８０Ｂ（以下両者をまとめて流動物容器８０と呼ぶ）が収容されている。流動物容器８０は、図２（Ｂ）と対応する図７に示すように、流動物容器７０と比較して、吐出部７４寄りも軸方向に長く形成された吐出部８４を有する点が相違するものの、他の部分は同様に構成されている。
【００５８】
板材２１（図６（Ａ））は、比較的厚く強度が高い紙や可撓性を有する樹脂材料等でなり、支持体１０の基部１１、基板１５、押板１６、並びに側板１８及び１９にそれぞれ対応する支持板２２、基板２３、押板２４、並びに側板２５及び２６が折曲線を介して互いに接続された構成となっている。
【００５９】
また板材２１には、押板２４、側板２５及び２６の強度をそれぞれ高めるための補強板２４Ｒ、２５Ｒ及び２６Ｒと、支持板２２と側板２５及び２６とをそれぞれ相互に固定するための糊代部２２Ｐ及び２２Ｑも設けられている。
【００６０】
支持板２２には、流動物容器８０Ａ及び８０Ｂそれぞれの装着部７５を固定するための切欠部２２Ａ及び２２Ｂが設けられている。支持板２２は、流動物容器８０Ａ及び８０Ｂそれぞれの装着部７５が嵌め込まれることにより、流動物容器８０Ａ及び８０Ｂを幅方向に沿って並べた状態で支持することができる。
【００６１】
因みに流動物吐出装置２０（図６（Ｂ））は、押板２４と基板２３との接続部分における内側にクリップ２７及び板ばね２８が取り付けられている。このクリップ２７は、流動物容器８０Ａ及び８０Ｂの末端部７２を挟み込むことにより、当該流動物容器８０Ａ及び８０Ｂの末端側を固定することができる。板ばね２８は、押板１６が基板１５に向けて押し込まれる際に弾性力を作用させる。
【００６２】
かかる構成により、流動物吐出装置２０は、第１の実施の形態による流動物吐出装置１と同様に、押板２４に力が加えられ裏側へ向けて押し込まれることにより、流動物容器８０Ａ及び８０Ｂに対しほぼ同等の力を加えることができ、それぞれの吐出部８４からほぼ同量の流動物を吐出させることができる。
【００６３】
また流動物吐出装置２０は、このように組立式とすることにより、その構成を格段に簡素化でき、これに伴って原材料や製造工程に要する費用を低廉化することができる。
【００６４】
さらに上述した第１の実施の形態においては、側板１８及び１９を設けた場合について述べたが、本発明はこれに限らず、例えば図８に示す流動物吐出装置３０のように、側板を省略した構成としても良い。
【００６５】
この流動物吐出装置３０は、軸方向に長い薄板状の部材が複数箇所において屈曲されたような形状となっており、支持体１０の基部１１と対応する支持板３１、基板１５と対応する基板３５、押板１６と対応する押板３６に加えて保護板３２を有している。
【００６６】
さらには、図６（Ａ）及び（Ｂ）とそれぞれ対応する図９（Ａ）及び（Ｂ）に示すように、側板を省略した構成においても、薄板状の板材４１を組み立てることにより流動物吐出装置４０を構成するようにしても良い。
【００６７】
この板材４１は、板材２１の支持板２２、基板２３及び押板２４とそれぞれ対応する支持板４２、基板４３及び押板４４を有している。また基板４３及び押板４４は、軸方向に沿って設けられた補強材４３Ｒ及び幅方向に沿って設けられた補強材４４Ｒが折り曲げられることにより、それぞれ補強される。
【００６８】
流動物吐出装置４０は、このように組立式とすることにより、流動物吐出装置２０と同様にその構成を格段に簡素化でき、原材料や製造工程に要する費用を低廉化できる。
【００６９】
さらに上述した第１の実施の形態においては、押板１６を流動物容器７０の筒状部７１に直接押し付けることにより、収容している流動物を吐出させるようにした場合について述べた。
【００７０】
しかしながら本発明はこれに限らず、例えば図１０に示す流動物吐出装置３８のように、押板１６と流動物容器８０との間に円筒状のローラ３９を設けても良い。この流動物吐出装置３８の場合、流動物容器８０に対し力を加える範囲が、当該流動物容器８０とローラ３９との当接部分に集中することになるため、第１の実施の形態による流動物吐出装置１と比較して、流動物容器８０内の流動物を確実に絞り出していくことができる。
【００７１】
さらに上述した第１の実施の形態においては、押板１６を平板状に形成し、押部１６Ｐに対し力が加えられた際、軸方向に沿って当該押板１６自体又は押板１６及び連結部１７の接続部分を撓ませるようにした場合について述べた。
【００７２】
しかしながら本発明はこれに限らず、例えば図１１（Ａ）に示す流動物吐出装置５０のように、押板１６と対応する押板５３を軸方向に沿って複数に分割して分割板５３Ａ、５３Ｂ、５３Ｃ及び５３Ｄとしても良い。
【００７３】
分割板５３Ａ、５３Ｂ、５３Ｃ及び５３Ｄは、いずれも十分な厚さを有することにより、剛性が高められており、力が加えられた際に殆ど撓まない。一方、互いに隣接する分割板５３Ａ、５３Ｂ、５３Ｃ及び５３Ｄの接続部分は、比較的薄く構成されることにより可撓性を有しており、互いに隣接する分割板同士を回動可能に連結している。
【００７４】
この押板５３は、図１１（Ｂ）に示すように、予め巻き取られるようにして折り畳まれている。押板５３は、流動物容器８０に十分な量の流動物が収容されている段階では、折り畳まれた状態のまま外力が加えられ、このときこの外力を分割板５３Ａから流動物容器８０の末端側近傍へ伝達する。
【００７５】
その後押板５３は、流動物容器８０における流動物の収容量が減少してくると、図１１（Ｃ）に示すようにその一部が展開され、流動物容器８０の中程ないし先端側に分割板５３Ｂ及び５３Ｃを当接させて、当該分割板５３Ｂ及び５３Ｃから流動物容器８０に対し外力を伝達する。
【００７６】
さらに押板５３は、流動物容器８０における流動物の収容量が殆ど無くなると、図１１（Ｄ）に示すように分割板５３Ｄが展開されて流動物容器８０の先端近傍に当接され、当該分割板５３Ｄから流動物容器８０に対し外力を伝達する。
【００７７】
これにより流動物吐出装置５０は、２本の流動物容器８０Ａ及び８０Ｂからそれぞれほぼ同等の量の流動物を吐出させながらも、各流動物容器８０に収容されている流動物をそれぞれ最後まで絞り出すことができる。
【００７８】
さらに上述した第１の実施の形態においては、押板１６の裏側を平坦に構成する場合について述べたが、本発明はこれに限らず、例えば図１２（Ａ）に示す流動物吐出装置６０のように、押板６３の裏面に周囲よりも裏側へ突出した突起６４を設けても良い。
【００７９】
流動物吐出装置１では、押板１６の裏面における比較的広い部分が流動物容器８０に当接するため、当該流動物容器８０から微量の流動物を吐出させたい場合であっても、比較的強い力を加える必要があった。すなわち流動物吐出装置１は、使用者に対し、比較的強い力を加えさせながらもその力加減を微妙に調整させる、という困難な作業を強いる恐れがあった。
【００８０】
これに対し流動物吐出装置６０は、比較的弱い力で押板６３が裏側へ押し込まれた場合、流動物容器８０に対し最初に突起６４を押し付け、その容積を僅かに減少させることができる。このため流動物吐出装置６０は、使用者が微量の流動物を吐出させたい場合に、僅かな力を加えさせるだけで、僅かな量の流動物を吐出させることができる。
【００８１】
また突起６４は、例えば図１２（Ｃ）に示すように、比較的大きな力が加えられた際には、変形して潰れるようにしても良く、これにより比較的広い面積に渡って流動物容器８０を潰し、その容積を十分に減少させることができる。
【００８２】
さらに突起６４の側面から見たときの形状については、例えば図１３（Ａ）〜（Ｄ）に示す突起６４Ａ、６４Ｂ、６４Ｃ及び６４Ｄのように、矩形状、半円状、三角状及び波状とする等、種々の形状としても良い。また突起６４の裏面から見たときの形状については、例えば図１３（Ｅ）〜（Ｈ）に示す突起６４Ｅ、６４Ｆ、６４Ｇ及び６４Ｈのように、幅方向沿った帯状を軸方向に沿って離散的に配置し、軸方向に沿って離散的に配置し、幅方向及び軸方向に沿って離散的に（すなわち格子状に）配置し、或いは軸方向に沿って帯状に配置する等、種々の配置法則により配置しても良い。
【００８３】
また突起６４は、押板６３側に限らず、基板６２の表側に設けても良く、さらには押板６３及び基板６２の双方に設けるようにしても良い。この場合、押板６３における突起６４の位置と基板６２における突起６４の位置とを互いにずらすよう配置することにより、突起６４同士が直接対向しないようにすることが望ましい。
【００８４】
さらには、基板６２の表面における突起６４と対応する位置に、周囲よりも裏側へ凹んだ凹部を設けても良く、或いは図１４に示すように、裏面まで貫通する孔部６２Ｈを穿設しても良い。流動物吐出装置６０は、これらの場合、押板６３を基板６２に対し極めて近接させる位置まで押し付けさせることができるので、流動物容器８０に残留する流動物の量を格段に減少させ、当該流動物容器８０から流動物を無駄なく吐出させることができる。
【００８５】
さらに上述した第１の実施の形態においては、固定部２の支持体１０に１個の吐出部１３を設け、１個のみ設けられた吐出部１３の吐出口１３Ｓから２種類の流動物を吐出するようにした場合について述べた。しかしながら本発明はこれに限らず、例えば図１５（Ａ）及び（Ｂ）に示すように、固定部６６に２箇所の吐出部６７を設け、当該固定部６６に取り付けた２本の流動物容器７０からそれぞれ供給される流動物を２箇所の吐出部６７それぞれから吐出させるようにしても良い。また案内部１２及び吐出口１３は、内部で仕切られずに連通されていても良く、この場合当該案内部１２及び吐出口１３内で２種類の流動物を混合させ、混合された状態の流動物を吐出口１３から吐出させることが可能となる。
【００８６】
また、流動物容器８０（図７）のように比較的長い吐出部８４を有する場合には、図１５（Ｃ）及び（Ｄ）に示す固定部６８のように、吐出部を省略して軸方向に貫通する２個の孔部６８Ａ及び６８Ｂを穿設し、これらに流動物容器８０の装着部７５を螺合させて固定しても良い。
【００８７】
［２．第２の実施の形態］
［２−１．流動物吐出装置の構成］
第２の実施の形態による流動物吐出装置１０１は、図１６及び図１７に示すように、第１の実施の形態による流動物吐出装置１の固定部２及び収容印加部３に対応する固定部１０２及び収容印加部１０３により構成されている。
【００８８】
固定部１０２は、図１７（Ａ）に示すように、支持体１１０により２個の流動物容器７０Ａ及び７０Ｂを固定するものの、固定部２と異なり、流動物容器７０Ａ及び７０Ｂを表裏方向に沿って並列させている。ただし各流動物容器７０における末端部７２の長手方向については、第１の実施の形態と同様、幅方向と平行に揃えられている。
【００８９】
支持体１１０は、基部１１、案内部１２及び吐出部１３とそれぞれ対応する基部１１１、案内部１１２及び吐出部１１３により構成されている。また支持体１１０は、第１の実施の形態における支持体１０と異なり、表側及び裏側を結ぶ方向と幅方向とが平行になっている。すなわち支持体１１０は、第１の実施の形態における支持体１０を、軸方向に沿った中心軸を中心に９０度回転させたような構成となっている。また基部１１１には、凹部１１Ｃと同様の凹部１１１Ｃが４箇所に形成されている。
【００９０】
収容印加部１０３は、図１７（Ｂ）に示すように、収容印加部３の基板１５、押板１６、連結部１７並びに側板１８及び１９とそれぞれ対応する基板１１５、押板１１６、連結部１１７並びに側板１１８及び１１９に加え、押板１２６を有している。
【００９１】
基板１１５、押板１１６及び連結部１１７は、第１の実施の形態と比較して、幅方向の長さが約半分となっている。側板１１８は、側板１８の裏側にもう一枚の側板１８を表裏反転させて接合させたような形状となっている。側板１１９も同様の形状となっている。すなわち収容印加部１０３内には、空間が基板１１５によって仕切られることにより、
２つの収容空間１０３Ａ及び１０３Ｂが形成されている。
【００９２】
押板１１６には、押部１６Ｐ及び補強部１６Ｒとそれぞれ対応する押部１１６Ｐ及び補強部１１６Ｒが設けられている。補強部１１６Ｒは、補強部１６Ｒと異なり、押部１１６Ｐから押板１１６の各頂点へ向かう方向に沿って形成されている。押板１２６は、押板１１６を表裏反転させた形状となっており、押部１１６Ｐ及び補強部１１６Ｒとそれぞれ対応する押部１２６Ｐ及び補強部１２６Ｒが設けられている。すなわち流動物吐出装置１０１は、収容空間１０３Ａ及び１０３Ｂを挟んで互いに反対となる位置に押板１１６及び１２６を設けている。
【００９３】
また収容印加部１０３内における連結部１１７の近傍には、図１８に示すクリップ１２７及び２個の板ばね１２８が内蔵される。クリップ１２７は、流動物容器７０Ａ及び７０Ｂの末端部７２を挟み込むことにより、当該末端部７２を連結部１１７の近傍に保持する。板ばね１２８は、基板１１５に対し押板１１６及び１２６が近接する方向に押し込まれる際に弾性力を作用させる。
【００９４】
［２−２．動作及び効果］
以上の構成において、第２の実施の形態による流動物吐出装置１０１は、固定部１０２の支持体１１０に対し、２本の流動物容器７０Ａ及び７０Ｂが表裏方向に沿って並列するように取り付けられる。また流動物容器７０Ａ及び７０Ｂは、末端部７２の長手方向を幅方向と平行に揃えるよう、その向きが調整される（図１７（Ａ））。
【００９５】
続いて流動物吐出装置１０１は、収容印加部１０３の上端側から固定部１０２が下端側へ移動されると、当該固定部１０２に取り付けられた流動物容器７０Ａ及び７０Ｂを収容空間１０３Ａ及び１０３Ｂ内にそれぞれ収容し、爪部１１８Ａ及び１１８Ｂ並びに１１９Ａ及び１１９Ｂを基部１１１の凹部１１１Ｃにそれぞれ係合させて一体化する。
【００９６】
これにより流動物吐出装置１０１は、流動物容器７０Ａ及び７０Ｂの筒状部７１を表裏方向に沿ってほぼ平行となるように並ばせ、両者の間に基板１１５を挟み、さらにこれらを表裏から押板１１６及び１２６の間に挟んだ状態となる（図１６（Ａ））。
【００９７】
流動物吐出装置１０１は、使用者の指先等により、押板１１６の押部１１６Ｐ及び押板１２６の押部１２６Ｐに対し、表裏方向に挟み込むように力が加えられる。
【００９８】
このとき押板１１６及び１２６は、補強部１１６Ｒ及び１２６Ｒによりそれぞれ剛性が高められているため、殆ど撓むことなく、連結部１１７との接続部分において撓み、それぞれ基板１１５に近接していく。
【００９９】
このため押板１１６及び１２６は、押部１１６Ｐ及び１２６Ｐに加えられた力を全面に分散するようにして、流動物容器７０Ａ及び７０Ｂそれぞれに伝達し、それぞれの筒状部７１に対し押し潰すような力として作用させることができる。
【０１００】
これに応じて流動物容器７０Ａ及び７０Ｂは、それぞれ筒状部７１が変形することによりその容積を減少させ、収容している流動物を軸方向に沿って末端側から先端側へ送り出し、最終的に支持体１１０の吐出部１１３から吐出される。
【０１０１】
ここで流動物吐出装置１０１は、表裏方向に並んでいる流動物容器７０Ａ及び７０Ｂに対し、押板１１６及び１２６により互いに反対方向から、いわば直列に力を加えるため、両者に対し同程度の力を加えることになる。
【０１０２】
このため流動物吐出装置１０１は、流動物容器７０Ａ及び７０Ｂを同程度に変形させて同程度に容積を減少させることができ、それぞれの吐出部７４から、すなわち最終的には吐出部１１３から、同程度の量の流動物を吐出することができる。このため使用者は、吐出部１１３から吐出された２種類の流動物を混合するだけで、最適な比率である１対１の比率で混合された毛染め剤を生成することができる。
【０１０３】
以上の構成によれば、第２の実施の形態による流動物吐出装置１０１は、補強された押板１１６及び１２６の間に２本の流動物容器７０Ａ及び７０Ｂを表裏方向に沿って並べて収容する。流動物吐出装置１０１は、押板１１６及び１２６の押部１１６Ｐ及び１２６Ｐに対し互いに近接する方向へ力が加えられると、流動物容器７０Ａ及び７０Ｂに同程度の力を加えることができるので、それぞれの吐出部７４から連通された吐出部１１３からほぼ同量の流動物をそれぞれ吐出させることができる。
【０１０４】
［２−３．他の実施の形態］
なお上述した第２の実施の形態においては、側板１１８及び１１９を設けた場合について述べたが、本発明はこれに限らず、当該側板１１８及び１１９を省略した構成としても良い。
【０１０５】
また上述した第２の実施の形態においては、流動物吐出装置１０１を固定部１０２及び収容印加部１０３の組み合わせにより構成し、当該固定部１０２の支持体１１０及び収容印加部１０３を所定の樹脂材料に所定の成型処理等を施すことによってそれぞれ構成する場合について述べた。
【０１０６】
しかしながら本発明はこれに限らず、例えば図９（Ａ）と対応する図１９（Ａ）に示すように、紙等でなる薄板状の材料が所定形状に切り出された板材１３１を所定の折曲線（図中破線で示す）に沿って適宜折り曲げ、これを２個貼り合わせることにより、図１９（Ｂ）に示すような流動物吐出装置１３０を組み立てることができる。
【０１０７】
この板材１３１は、板材４１の支持板４２、基板４３及び押板４４（図９（Ａ））とそれぞれ対応する支持板１３２、基板１３３及び押板１３４を有している。また基板１３３及び押板１３４は、軸方向に沿って設けられた補強材１３３Ｒ及び幅方向に沿って設けられた補強材１３４Ｒにより、それぞれ補強される。
【０１０８】
流動物吐出装置１３０は、このように組立式とすることにより、流動物吐出装置４０と同様にその構成を格段に簡素化でき、原材料や製造工程に要する費用を低廉化できる。
【０１０９】
［３．第３の実施の形態］
第３の実施の形態による流動物吐出装置２０１は、図８と対応する図２０（Ａ）に示すように、流動物吐出装置３０の保護板３２及び基板３５とそれぞれ同様に構成された支持板２１１、保護板２１２及び基板２１５を有する一方、押板３６と異なる構成の押板２１６を有している。
【０１１０】
支持板２１１には、流動物容器８０Ａ及び８０Ｂ（図７）がそれぞれの装着部７５を介して取り付けられる。
【０１１１】
押板２１６は、軸方向に沿って複数の領域に分割されており、各領域内においては十分な厚さにより容易に変形しない程度の高い剛性を有している。また押板２１６は、互いに隣接する領域が連結する部分に連結部２１６Ｃが形成されている。段階屈曲部としての連結部２１６Ｃは、薄く形成されることにより、容易に変形する程度に剛性が低くなっている。
【０１１２】
さらに押板２１６における幅方向の中央付近には、流動物吐出装置１における押板１６の押部１６Ｐと対応する押部２１６Ｐが設けられている。この押部２１６Ｐは、押板２１６における周囲の部分よりも表側へ突出するように形成されている。
【０１１３】
以上の構成において、流動物吐出装置２０１は、押板２１６の押部２１６Ｐが表側から裏側へ向けて押下されると、図２０（Ｂ）に示すように、連結部２１６Ｃごとに角度を変化させて変形しながら、２個の流動物容器８０Ａ及び８０Ｂに対しほぼ同等の力を加える。
【０１１４】
これにより流動物容器８０Ａ及び８０Ｂは、第１の実施の形態と同様、それぞれの吐出部８４から同程度の量の流動物を吐出することができる。このため使用者は、吐出部８４から吐出された２種類の流動物を混合するだけで、最適な比率で混合された毛染め剤を生成することができる。
【０１１５】
また流動物吐出装置２０１は、流動物吐出装置１（図１）と比較して、押板２１６から流動物容器８０に力を加える面積が小さくなるため、単位面積当たりの流動物容器８０に加えられる力を高めることができる。このため流動物吐出装置２０１は、使用者が比較的小さな力を加えるだけで、それぞれの吐出部８４から流動物を吐出させることができる。
【０１１６】
さらに流動物吐出装置２０１は、図２１（Ａ）、（Ｂ）及び（Ｃ）に示すように、各連結部２１６Ｃの角度を適宜変化させることにより、流動物容器８０の形状に合わせて当接することができる。
【０１１７】
特に流動物容器８０は、先端側の蓋部７３の近傍において、当該蓋部７３の形状が殆ど変化しないことにより筒状部７１が表裏方向に潰れにくくなり、その結果として流動物容器８０内の流動物を十分に吐出できず、内部に流動物を残してしまう恐れがある。
【０１１８】
この点において押板２１６は、図２１（Ｃ）に示したように、裏側に向けて押し込まれた際に裏側が凸となるよう湾曲することにより、筒状部７１を基板２１５及び蓋部７３の形状に合わせて変形させ、流動物容器８０の容積を効果的に減少させることができる。これにより流動物吐出装置２０１は、流動物容器８０内に流動物を極力残さないように吐出させることができる。
【０１１９】
また押板２１６は、第１の実施の形態と同様、押部２１６Ｐを幅方向の中央付近に設けたため、当該押部２１６Ｐに加えられた外力を２本の流動物容器８０Ａ及び８０Ｂにほぼ均等に分散して伝達することができる。この結果、流動物容器８０Ａ及び８０Ｂは、それぞれの吐出部８４から同程度の量の流動物を吐出することができる。
【０１２０】
以上の構成によれば、第３の実施の形態による流動物吐出装置２０１は、軸方向に沿って複数に分割された各領域を連結部２１６Ｃにより連結すると共に押部２１６Ｐを設けた押板２１６と、基板２１５との間に、２本の流動物容器８０Ａ及び８０Ｂを幅方向に沿って並べて収容した。流動物吐出装置２０１は、押板２１６の押部２１６Ｐに対し裏側へ向かう力が加えられると、各領域の形状を保ったまま連結部２１６Ｃを適宜変形させながら、流動物容器７０Ａ及び７０Ｂに同程度の力を加えることができるので、それぞれの吐出部８４からほぼ同量の流動物をそれぞれ吐出させることができる。
【０１２１】
なお上述した第３の実施の形態においては、押板２１６の裏面及び基板２１５の表面をいずれも平坦にする場合について述べたが、本発明はこれに限らず、これらに凹凸を設けても良い。
【０１２２】
例えば図２２（Ａ）及び（Ｂ）に示す流動物吐出装置２２１は、押板２２６の裏面及び基板２２５の表面に、幅方向に沿った畝状の突出部２２６Ａ及び２２５Ａがそれぞれ複数設けられている。押板２２６の突出部２２６Ａは、押板２２６における軸方向に分割された各領域におけるほぼ中央に、それぞれ設けられている。また基板２２５の突出部２２５Ａは、押板２２６が基板２２５に押し付けられたときに互いに隣接する突出部２２６Ａ同士のほぼ中間となる位置に設けられている。
【０１２３】
かかる構成により流動物吐出装置２２１は、図１２〜図１４に示した場合と同様に、僅かな力により流動物容器８０Ａ及び８０Ｂから微量の流動物をそれぞれ吐出させることができる。また流動物吐出装置２２１は、押板２２６が基板２２５に押し付けられたときに、軸方向に沿って突出部２２６Ａ及び突出部２２５Ａを交互に位置させることができるので、流動物容器８０Ａ及び８０Ｂに流動物を極力残さないように潰すことができる。
【０１２４】
また上述した第３の実施の形態においては、押板２１６を流動物容器８０の筒状部７１に直接押し付けることにより、収容している流動物を吐出させるようにした場合について述べた。しかしながら本発明はこれに限らず、例えば図１０と対応する図２３に示す流動物吐出装置２３１のように、押板２１６と２個の流動物容器８０との間にローラ２３８を挟み込むようにしても良い。
【０１２５】
この場合流動物吐出装置２３０は、流動物吐出装置３８（図１０）と同様、押板２１６に加えられた力をローラ２３８を介して２個の流動物容器８０に加えるため、当該流動物容器８０に対し力を加える範囲を、当該流動物容器８０とローラ２３８との当接部分に集中させることができる。
【０１２６】
これにより流動物吐出装置２３０は、流動物容器８０内の流動物を確実に絞り出していくことができる。また、図２４に示す流動物吐出装置２４０のように、押板２１６と２個の流動物容器８０との間に棒状の押出部材２４８を挟み込むようにした場合にも、同様の作用効果を得ることができる。
【０１２７】
［４．第４の実施の形態］
［４−１．流動物吐出装置の構成］
図１と対応する図２４に示すように、第４の実施の形態による流動物吐出装置３０１は、流動物吐出装置１と同様、内部に２本の流動物容器９０Ａ及び９０Ｂを収納し、それぞれに収容されている２種類の流動物をそれぞれ吐出させるようになされている。因みに流動物容器９０Ａ及び９０Ｂには、第１の実施の形態と同様、例えば二剤方式の毛染め剤における２種類の流動物がそれぞれ収容される。
【０１２８】
流動物容器９０Ａ及び９０Ｂ（以下、両者をまとめて流動物容器９０とも呼ぶ）は、図２５（Ａ）及び（Ｂ）に示すように全体として細長い円筒状に構成されており、流動物容器８０（図７）と同様の蓋部７３、吐出部８４及び装着部７５を有する。その一方で流動物容器９０は、流動物容器８０と異なり、筒状部７１に代わる蛇腹部９１及び末端部７２に代わる底部９２を有する。
【０１２９】
蛇腹部９１は、例えば種々の樹脂材料によって構成されると共に可撓性を有しており、軸方向に沿って外径が周期的に増加及び減少を交互に繰り返す、いわゆる「蛇腹」状の細長い筒を形成している。この蛇腹部９１は、軸方向に沿って広げる方向に力が加えられると、その長さを伸張させて容積を拡大する。また蛇腹部９１は、軸方向に沿って縮める方向に力が加えられると、容易に折り畳まれてその長さを短縮し、容積を縮小させることができる。底部９２は、円板状に形成され、その法線が軸方向に沿っている。
【０１３０】
流動物吐出装置３０１（図２４）は、大きく分けて、流動物容器９０Ａ及び９０Ｂをそれぞれ収容する収容部３０２と、収容部３０２に対し軸方向に沿って移動する移動部３０３とにより構成される。
【０１３１】
収容部３０２は、中空の直方体状に構成されており、先端側、裏側、表側及び末端側の各側面をそれぞれ閉塞する支持板３１１、基板３１５、表板３１６及び底板３１７を有しており、さらに幅方向の両側面をそれぞれ閉塞する側板３１８及び３１９を有している（図２５）。この収容部３０２は、比較的強度の高い材料により構成され、容易に撓まないようになっている。
【０１３２】
支持板３１１は、幅方向に沿って２個の挿通孔３１１Ａ及び３１１Ｂが穿設されている。各挿通孔３１１Ａ及び３１１Ｂは、それぞれ流動物容器９０の装着部７５と係合することにより、当該流動物容器９０を固定することができる。
【０１３３】
収容部３０２は、支持板３１１の挿通孔３１１Ａ及び３１１Ｂに流動物容器９０Ａ及び９０Ｂの装着部７５をそれぞれ係合させることにより、裏側の基板３１５及び表側の表板３１６の間に、当該流動物容器９０Ａ及び９０Ｂを幅方向に沿って並べるように収容する。また表板３１６における幅方向のほぼ中央には、軸方向を長手方向とする長孔でなる孔部３１６Ｈが穿設されている。
【０１３４】
移動部３０３は、大きく分けて操作ダイヤル３２１と、移動板３２２とにより構成されている。操作ダイヤル３２１は、幅方向に沿った軸体を有する扁平な円板状に形成されており、その周側面に幅方向に沿った溝が繰り返し刻まれてなる滑り止めが形成されている。この操作ダイヤル３２１は、裏側において基板３１５に当接しており、表側において表板３１６の孔部３１６Ｈから一部分を露出させている。さらに操作ダイヤル３２１の中心には、幅方向に貫通する中心孔３２１Ｈが穿設されている。
【０１３５】
外力伝達部としての移動板３２２は、軸方向の長さが比較的短い２個の直方体でなり、操作ダイヤル３２１における両方の板面からそれぞれほぼ垂直に立設している。２個の移動板３２２は、操作ダイヤル３２１の中心孔３２１Ｈに挿通された短い円柱状の軸体３２３により互いに連結されている。軸体３２３の外径は、中心孔３２１Ｈの孔径よりも一回り小さくなっている。また移動板３２２は、収容部３０２の内側面との間に適度な隙間が形成されている。
【０１３６】
かかる構成により移動部３０３は、操作ダイヤル３２１の外周面における表板３１６の孔部３１６Ｈから露出した部分に対し、使用者の指先等により先端側へ向けた外力が加えられると、図２５（Ｂ）における矢印Ｒ１方向へ回転しようとする。このとき操作ダイヤル３２１は、裏側において基板３１５と当接することにより摩擦力を発生させ、軸体３２３を介して移動板３２２に対し先端側へ向かう力を作用させて、移動部３０３全体を先端側へ移動させようとする。
【０１３７】
このように移動部３０３は、操作ダイヤル３２１に対し先端側へ向けた外力が加えられると、軸方向に沿って先端側へ滑らかに移動することができる。
【０１３８】
［４−２．動作及び効果］
以上の構成において、第４の実施の形態による流動物吐出装置３０１は、流動物容器９０Ａ及び９０Ｂが支持板３１１に取り付けられると、両者を収容部３０２内でほぼ平行に並ばせ、且つそれぞれの底部９２を移動部３０３の移動板３２２と対向させ、又は当接させたた状態に支持する（図２５）。
【０１３９】
移動部３０３は、収容部３０２に流動物容器９０Ａ及び９０Ｂが収容される際、予め末端側へ移動される。このため移動板３２２は、先端側の板面を流動物容器９０Ａ及び９０Ｂそれぞれの底部９２と対向させ、又は当接させた状態となる。
【０１４０】
流動物吐出装置３０１は、使用者により操作ダイヤル３２１の表側部分に対し矢印Ｒ１方向（図２５（Ｂ））へ回転させるような力が加えられると、当該操作ダイヤル３２１が裏側において基板３１５との間に摩擦力を発生させ、移動部３０３全体を先端側へ移動させようとする。
【０１４１】
このとき移動板３２２は、軸体３２３を介して先端側へ向かう力が伝達されるため、収容部３０２内で先端側へ移動しようとし、流動物容器９０Ａ及び９０Ｂそれぞれの底部９２を先端側へ押し込む。流動物容器９０Ａ及び９０Ｂは、軸方向の全長が徐々に短縮されることにより、蛇腹部９１の容積を徐々に削減していき、その削減分に相当する量の流動物をそれぞれの吐出部８４から吐出する。
【０１４２】
ここで流動物吐出装置３０１は、移動部３０３を軸方向に沿ってほぼ平行に移動させる。これにより流動物吐出装置３０１は、流動物容器９０Ａ及び９０Ｂにおける蛇腹部９１の容積の削減量を、常にほぼ同等に揃えることができる。この結果、流動物吐出装置３０１は、流動物容器９０Ａ及び９０Ｂそれぞれの吐出部８４から、ほぼ同量の流動物をそれぞれ吐出させることができる。このため使用者は、吐出された２種類の流動物を混合するだけで、最適な比率で混合された毛染め剤を生成することができる。
【０１４３】
また流動物吐出装置３０１は、その構造により、操作ダイヤル３２１の回転量と、移動板３２２の軸方向への移動量と、流動物容器９０Ａ及び９０Ｂにおける蛇腹部９１の容積の削減量とを、ほぼ比例させることができる。すなわち流動物吐出装置３０１は、使用者に操作ダイヤル３２１の回転量を調節させるだけで、その回転量にほぼ比例した量の流動物を流動物容器９０Ａ及び９０Ｂそれぞれから吐出できるので、毛染め剤の生成量を容易に且つ直感的に調整させることができる。
【０１４４】
以上の構成によれば、第４の実施の形態による流動物吐出装置３０１は、移動部３０３の移動板３２２を収容部３０２内で軸方向に沿ってほぼ平行に移動させるようにした。また流動物吐出装置３０１は、収容部３０２内に流動物容器９０Ａ及び９０Ｂを幅方向に並列させるように取り付け、底部９２を移動板３２２に対向させた状態とする。流動物吐出装置３０１は、操作ダイヤル３２１の表側部分に対し矢印Ｒ１方向へ回転させる力が加えられると、移動板３２２を先端側へ移動させることにより、流動物容器９０Ａ及び９０Ｂにおける蛇腹部９１の容積を同程度ずつ減少させ、それぞれの吐出部８４からほぼ同量の流動物を吐出させることができる。
【０１４５】
［５．第５の実施の形態］
［５−１．流動物吐出装置の構成］
第５の実施の形態による流動物吐出装置４０１は、図２４並びに図２５（Ａ）及び（Ｂ）とそれぞれ対応する図２６並びに図２７（Ａ）及び（Ｂ）に示すように、収容部３０２及び移動部３０３に代わる収容部４０２及び移動部４０３により構成されている。
【０１４６】
収容部４０２は、収容部３０２と比較して、基板３１５、側板３１８及び３１９に代わる基板４１５、側板４１８及び４１９を有する点が相違するものの、他の部分については同様に構成されている。また収容部４０２には、２本の流動物容器８０Ａ及び８０Ｂ（図７）が収容される。
【０１４７】
基板４１５は、表板３１６と同様、幅方向のほぼ中央に、軸方向を長手方向とする長孔でなる孔部４１５Ｈ（図２８）が穿設されている。また側板４１８及び４１９は、表裏方向のほぼ中央に、軸方向を長手方向とする長孔でなる孔部４１８Ｈ及び４１９Ｈがそれぞれ穿設されている。
【０１４８】
移動部４０３は、第４の実施の形態と同様の操作ダイヤル３２１を中心に構成されており、当該操作ダイヤル３２１における幅方向の両側に、移動しながら流動物容器８０に外力を印加する移動印加部４２０がそれぞれ設けられている。
【０１４９】
外力伝達部としての移動印加部４２０は、図２８及び図２９に示すように、操作ダイヤル３２１の中心を幅方向に貫通する軸体４２１を中心に構成されており、スペーサ４２２、押付体４２３、ローラ４２４及び端部ガイド４２５を有している。
【０１５０】
軸体４２１は、細長い円柱状に形成されており、操作ダイヤル３２１に対し固定されている。このため軸体４２１は、操作ダイヤル３２１が回転されると、当該操作ダイヤル３２１と一体に回転する。
【０１５１】
ローラ４２４は、図２９（Ａ）に示したように、幅方向に沿った軸体を有する長い円筒状に構成されており、その中心に幅方向に貫通する孔部４２４Ｈが穿設されている。スペーサ４２２及び端部ガイド４２５は、いずれも幅方向に沿った軸体を有しローラ４２４寄りも短い円筒状に構成されており、それぞれの中心に幅方向に貫通する孔部４２２Ｈ及び４２５Ｈが穿設されている。
【０１５２】
因みに孔部４２２Ｈ、４２４Ｈ及び４２５Ｈの孔径は、いずれも軸体４２１の直径よりも僅かに大きくなっている。またローラ４２４は、その周側面における摩擦係数が比較的大きく、当接する物体に対し滑りにくくなっている。
【０１５３】
押付体４２３は、図２９（Ａ）に示したように、幅方向に長い直方体状に形成された押付体４２３Ｌと、当該押付体４２３Ｌにおける幅方向の両端にそれぞれ接合されており表裏方向に長い直方体状に形成された支持部４２３Ｍとにより構成されている。各支持部４２３Ｍには、幅方向に貫通する丸孔でなる孔部４２３Ｈがそれぞれ穿設されている。
【０１５４】
因みに孔部４２３Ｈの孔径は、軸体４２１の直径よりも十分に大きくなっている。また押付体４２３Ｌは、ローラ４２４と対向する面（以下これを押付面４２３Ｓと呼ぶ）の摩擦係数が小さくなっており、当接する物体に対し滑りやすくなっている。
【０１５５】
移動印加部４２０は、その組立時に、図２９（Ｂ）に示したように、軸体４２１に対し操作ダイヤル３２１側から順にスペーサ４２２、押付体４２３における一方の支持部４２３Ｍ、ローラ４２４、押付体４２３における他方の支持部４２３Ｍ及び端部ガイド４２５がそれぞれの孔部を介して挿通される。
【０１５６】
このうちスペーサ４２２、ローラ４２４及び端部ガイド４２５は、それぞれの孔部と軸体４２１との間に隙間が殆ど生じないため、当該軸体４２１と一体に回転する。一方、押付体４２３は、孔部４２３Ｈと軸体４２１との間にある程度の隙間が生じるため、当該軸体４２１と一体に回転することは無い。またローラ４２４の外周面と押付体４２３の押付面４２３Ｓとの間には、比較的狭い隙間が形成される。
【０１５７】
このようにして組み立てられた移動印加部４２０は、流動物容器８０（８０Ａ及び８０Ｂ）と共に収容部４０２内に組み込まれる際、図２６に示したように、操作ダイヤル３２１の表側及び裏側における一部分を孔部３１６Ｈ及び４１５Ｈから露出させ、端部ガイド４２５を孔部４１８Ｈ及び４１９Ｈ内にそれぞれ位置させる（図２８）。
【０１５８】
このため移動印加部４２０は、操作ダイヤル３２１の一部が孔部３１６Ｈ内及び４１５Ｈ内によりそれぞれ案内されると共に端部ガイド４２５が孔部４１８Ｈ及び４１９Ｈにより案内されながら、収容部４０２内を軸方向に沿って移動することができる。
【０１５９】
［５−２．動作及び効果］
以上の構成において、第５の実施の形態による流動物吐出装置４０１は、流動物容器８０Ａ及び８０Ｂが支持板３１１に取り付けられると共に、それぞれの末端部７２が移動印加部４２０におけるローラ４２４の外周面と押付体４２３の押付面４２３Ｓとの間に挿通される（図２７（Ａ）及び（Ｂ））。
【０１６０】
移動部４０３は、使用者により操作ダイヤル３２１の表側部分に対し矢印Ｒ１方向（図２５（Ｂ））へ回転させるような力が加えられると、軸体４２１と共にローラ４２４を回転させる。
【０１６１】
このときローラ４２４は、押付体４２３との間に流動物容器８０を挟み込んでいるため、当該流動物容器８０との間に摩擦力を発生させ、当該流動物容器８０の筒状部７１を押し潰しながら、移動部４０３全体を先端側へ移動させていく。
【０１６２】
これを換言すれば、移動部４０３の移動印加部４２０は、回転するローラ４２４と回転しない押付体４２３との間で筒状部７１を押し潰しながら、当該ローラ４２４と筒状部７１との間に生じる摩擦により先端側へ移動していく。
【０１６３】
これにより流動物容器８０Ａ及び８０Ｂは、筒状部７１の容積を徐々に削減していき、その削減分に相当する量の流動物をそれぞれの吐出部８４から吐出する。このとき移動部４０３は、収容部４０２内を軸方向に沿ってほぼ平行に移動する。これにより流動物吐出装置４０１は、流動物容器８０Ａ及び８０Ｂにおける筒状部７１の容積の削減量を、常にほぼ同等に揃えることができる。
【０１６４】
この結果、流動物吐出装置４０１は、流動物容器８０Ａ及び８０Ｂそれぞれの吐出部８４からほぼ同量の流動物をそれぞれ吐出させることができる。このため使用者は、吐出された２種類の流動物を混合するだけで、最適な比率で混合された毛染め剤を生成することができる。
【０１６５】
また流動物吐出装置４０１は、流動物吐出装置３０１と同様、操作ダイヤル３２１の回転量と、移動印加部４２０の軸方向への移動量と、流動物容器８０Ａ及び８０Ｂにおける筒状部７１の容積の削減量とを、ほぼ比例させることができる。
【０１６６】
すなわち流動物吐出装置４０１は、使用者に操作ダイヤル３２１の回転量を調節させるだけで、その回転量にほぼ比例した量の流動物を流動物容器８０Ａ及び８０Ｂそれぞれから吐出できるので、毛染め剤の生成量を容易に且つ直感的に調整させることができる。
【０１６７】
以上の構成によれば、第５の実施の形態による流動物吐出装置４０１は、移動部４０３を収容部４０２内で軸方向に沿ってほぼ平行に移動させるようにした。また流動物吐出装置４０１は、収容部４０２内に流動物容器８０Ａ及び８０Ｂを幅方向に並列させるように取り付け、末端部７２を移動印加部４２０のローラ４２４と押付体４２３との間に挟み込んだ状態とする。流動物吐出装置４０１は、操作ダイヤル３２１の表側部分に対し矢印Ｒ１方向へ回転させる力が加えられると、ローラ４２４と流動物容器８０の筒状部７１との摩擦により移動印加部４２０を先端側へ移動させながら、当該ローラ４２４と押付体４２３との間で当該筒状部７１を潰してその容積を同程度ずつ減少させ、それぞれの吐出部７４からほぼ同量の流動物を吐出させることができる。
【０１６８】
［５−３．他の実施の形態］
なお上述した第５の実施の形態においては、移動部４０３の移動印加部４２０において回転するローラ４２４と摺動する押付体４２３との間で流動物容器８０の筒状部７１を潰しながら先端側へ移動するようにした場合について述べた。しかしながら本発明はこれに限らず、種々の構造でなる移動印加部により流動物容器８０の筒状部７１を潰しながら先端側へ移動するようにしても良い。
【０１６９】
例えば図２７（Ｂ）と対応する図３０に示すように、流動物吐出装置４３０の移動印加部４３１は、押付体４２３に代わる押付体４３３における押付面４３３Ｓをローラ４２４の周側面に合わせるように湾曲させている。これにより流動物吐出装置４３０は、ローラ４２４の周側面と押付体４３３の押付面４３３Ｓとが対向する範囲を移動印加部４２０よりも拡大することができ、流動物容器８０の筒状部７１を確実に押し潰すことができる。
【０１７０】
また図２７（Ｂ）と対応する図３１に示すように、流動物吐出装置４４０の移動印加部４４１は、押付体４２３に代わる押付体４４３をローラ４２４と共に回転させるようにした。また押付体４４３の当接面４４３Ｓは、摩擦係数が高められている。この流動物吐出装置４４０は、予めローラ４２４と押付体４４３との間に流動物容器８０の末端部７２を挟み込み、操作ダイヤル３２１が回転されると、ローラ４２４及び押付体４４３を一体に回転させ、その周りに流動物容器８０の筒状部７１を巻き付けながら当該筒状部７１を押し潰していくことができる。
【０１７１】
さらに図２７（Ｂ）及び図２８とそれぞれ対応する図３２（Ａ）及び（Ｂ）に示すように、流動物吐出装置４５０は、移動印加部４５１に軸体４２１及びローラ４２４に代わるローラ４５４を設け、このローラ４５４を軸方向に貫通するスリット状の溝部を設けた。この流動物吐出装置４５０は、予めローラ４５４の溝部に流動物容器８０の末端部７２を挟み込み、操作ダイヤル３２１が回転されると、ローラ４５４を回転させ、その周りに流動物容器８０の筒状部７１を巻き付けながら当該筒状部７１を押し潰していくことができる。
【０１７２】
さらに図２７（Ｂ）と対応する図３３に示すように、流動物吐出装置４６０は、移動印加部４５１にローラ４２４よりも半径が大きいローラ４６４を設け、当該ローラ４６４と基板４１５との間に僅かな隙間を形成するようにした。この流動物吐出装置４６０は、予めローラ４６４と基板４１５との間に流動物容器８０の末端部７２を挟み込み、操作ダイヤル３２１が回転されると、ローラ４６４を回転させ、当該ローラ４６４と筒状部７１との摩擦により移動印加部４６１を先端側へ移動させながら、当該ローラ４６４と基板４１５との間で筒状部７１を押し潰していくことができる。
【０１７３】
また上述した第５の実施の形態においては、ローラ４２４を一般的な円筒状に形成し、その表面における摩擦係数を高めた場合について述べた。本発明はこれに限らず、ローラ４２４における断面形状を種々の形状とし、またその表面に種々の加工を施すようにしても良い。これらの場合、流動物容器８０の筒状部７１に対する摩擦力を高めることにより「滑り」の発生を防止できれば良い。
【０１７４】
例えば図３４（Ａ）、（Ｂ）及び（Ｃ）に示すローラ４２４Ａ、４２４Ｂ及び４２４Ｃは、それぞれ表面にいわゆるローレット加工、シボ梨地加工、エンボス加工を施している。また図３４（Ｄ）に示すローラ４２４Ｄは、断面形状が多角形（例えば六角形）となっている。さらに図３４（Ｅ）に示すローラ４２４Ｅは、長手方向に沿って複数の溝が刻まれている。さらに図３４（Ｆ）に示すローラ４２４Ｆは、周側面に多数の小さな突起が立設されている。
【０１７５】
さらに上述した第５の実施の形態においては、押付体４２３におけるローラ４２４との対向面である押付面４２４Ｓを平坦とした場合について述べた。本発明はこれに限らず、押付体４２３の押付面４２４Ｓを種々の形状としても良く、また全体形状を直方体状以外の形状としても良い。
【０１７６】
すなわち押付体４２３としては、例えば図３５（Ａ）に示す押付体４２３Ａのように押付面４２３ＡＳ全体を湾曲させても良く、また図３５（Ｂ）に示す押付体４２３Ｂのように押付面４２３ＢＳにおける中央部を湾曲させて残りの部分を平坦としても良く、さらには図３５（Ｂ）に示す押付体４２３Ｃのように押付面４２３ＣＳにおける中央部部を湾曲させて残りの部分を傾斜面としても良い。
【０１７７】
また、図３１に示した流動物吐出装置４４０の押付体４４３としては、図３５（Ｄ）に示す押付体４４３Ｄのようにローラ４２４の外側を広範囲に渡って囲むような略円筒形状としても良く、さらには図３５（Ｅ）に示す押付体４４３Ｅのようにその外周面に複数の突起４４３ＥＰを突出させるようにしても良い。
【０１７８】
［６．第６の実施の形態］
［６−１．流動物吐出装置の構成］
第６の実施の形態による流動物吐出装置５０１は、図２４並びに図２５（Ａ）及び（Ｂ）とそれぞれ対応する図３６並びに図３７（Ａ）及び（Ｂ）に示すように、収容部３０２及び移動部３０３とそれぞれ対応する収容部５０２及び移動印加部５０３により構成されている。
【０１７９】
収容部５０２は、収容部３０２と比較して、表板３１６及び底板３１７に代わる表板５１６及び底板５１７を有する点が相違するものの、他の部分については同様に構成されている。表板５１６には、孔部３１６Ｈが穿設されておらず、一様な平面を形成している。一方、底板５１７には、ほぼ中央に、軸方向に貫通する孔部５１７Ｈが穿設されている。また収容部５０２には、２本の流動物容器８０Ａ及び８０Ｂ（図７）が収容される。
【０１８０】
移動印加部５０３は、大きく分けて操作ダイヤル５２１と、螺旋軸５２２と、移動体５２３とにより構成されている。
【０１８１】
操作ダイヤル５２１は、軸方向に沿った軸体を有する扁平な円板状に形成されており、その周側面に幅方向に沿った溝が繰り返し刻まれてなる滑り止めが形成されている。すなわち操作ダイヤル５２１は、操作ダイヤル３２１（図２４等）の軸体を軸方向に向けたような構成となっている。
【０１８２】
螺旋軸５２２は、軸方向に沿った細長い円柱状に構成されており、その周側面に一定の周期で螺旋状の溝が刻まれている。この螺旋軸５２２は、その末端側において、操作ダイヤル５２１が取り付けられると共に底板５１７の孔部５１７Ｈに挿通されている。また螺旋軸５２２は、その先端側において、支持板３１１の内側面のほぼ中央に設けられた軸受５２２Ｂにより回転可能に支持されている。
【０１８３】
移動体５２３は、全体として長手方向を幅方向に向けた直方体状に形成されており、収容部５０２内に収容可能な大きさに形成されている。また移動体５２３は、先端側の面が斜め裏側を向くように傾斜されると共に湾曲されており、さらに摩擦係数が低減されている。また移動体５２３は、軸方向に沿って貫通する孔部５２３Ｈが穿設されている。この孔部５２３Ｈは、内周面に螺旋状の溝が形成されており、これにより螺旋軸５２２の外周面に形成された螺旋形状と螺合するようになされている。
【０１８４】
移動体５２３は、その組立時において収容部５０２内に収容され、孔部５２３Ｈに螺旋軸５２２が挿通されることにより当該螺旋軸５２２と螺合し、収容部５０２内で静止する。また移動体５２３は、その裏面と基板５１５との間に僅かな隙間を形成するよう、孔部５２３Ｈの位置や大きさが最適化されている。
【０１８５】
かかる構成により移動印加部５０３は、使用者により操作ダイヤル５２１に対し回転方向に力が加えられると、螺旋軸５２２と一体に回転する。これに伴い移動体５２３は、螺旋軸５２２との螺合により、収容部５０２内において、基板５１５との間の隙間を保ったまま軸方向に沿って移動する。
【０１８６】
このように移動印加部５０３は、使用者に操作ダイヤル５２１を回転させることにより、移動体５２３を軸方向に沿って移動させることができる。
【０１８７】
［６−２．動作及び効果］
以上の構成において、第６の実施の形態による流動物吐出装置５０１は、流動物容器８０Ａ及び８０Ｂが支持板３１１に取り付けられると共に、それぞれの末端部７２が移動体５２３の裏面と基板５１５との間に挿通される（図３７（Ａ）及び（Ｂ））。
【０１８８】
移動印加部５０３は、使用者により操作ダイヤル５２１に対し所定方向へ回転させるような力が加えられると、当該操作ダイヤル５２１及び螺旋軸５２２を回転させ、これに伴って移動体５２３を先端側へ移動させる。このとき移動体５２３は、基板５１５との間に流動物容器８０を挟み込んでいるため、当該流動物容器８０の筒状部７１を押し潰しながら、先端側へ移動していく。
【０１８９】
これにより流動物容器８０Ａ及び８０Ｂは、筒状部７１の容積を徐々に削減していき、その削減分に相当する量の流動物をそれぞれの吐出部８４から吐出する。このとき移動体５２３は、収容部５０２内を軸方向に沿ってほぼ平行に移動する。これにより流動物吐出装置５０１は、流動物容器８０Ａ及び８０Ｂにおける筒状部７１の容積の削減量を、常にほぼ同等に揃えることができる。
【０１９０】
この結果、流動物吐出装置５０１は、流動物容器８０Ａ及び８０Ｂそれぞれの吐出部８４からほぼ同量の流動物をそれぞれ吐出させることができる。このため使用者は、吐出された２種類の流動物を混合するだけで、最適な比率で混合された毛染め剤を生成することができる。
【０１９１】
また流動物吐出装置５０１は、螺旋軸５２２に刻まれた螺旋が一定の周期で形成されているため、操作ダイヤル５２１の回転量と、移動体５２３の軸方向への移動量と、流動物容器８０Ａ及び８０Ｂにおける筒状部７１の容積の削減量とを、ほぼ比例させることができる。
【０１９２】
すなわち流動物吐出装置５０１は、使用者に操作ダイヤル５２１の回転量を調節させるだけで、その回転量にほぼ比例した量の流動物を流動物容器８０Ａ及び８０Ｂそれぞれから吐出できるので、毛染め剤の生成量を容易に且つ直感的に調整させることができる。
【０１９３】
以上の構成によれば、第６の実施の形態による流動物吐出装置５０１は、操作ダイヤル５２１が取り付けられた螺旋軸５２２と移動体５２３とを螺合させ、当該移動体５２３の裏面と基板５１５との間に僅かな隙間を形成するようにした。また流動物吐出装置５０１は、収容部５０２内に流動物容器８０Ａ及び８０Ｂを幅方向に並列させるように取り付け、末端部７２を移動体５２３と基板５１５との間に挟み込んだ状態とする。流動物吐出装置５０１は、操作ダイヤル５２１に所定方向へ回転させる力が加えられると、移動体５２３を先端側へ移動させながら、当該移動体５２３と基板５１５との間で流動物容器８０Ａ及び８０Ｂの筒状部７１を潰してその容積を同程度ずつ減少させ、それぞれの吐出部８４からほぼ同量の流動物を吐出させることができる。
【０１９４】
［６−３．他の実施の形態］
なお上述した第６の実施の形態においては、操作ダイヤル５２１の回転に伴って軸方向に移動する移動体５２３と基板５１５との間で流動物容器８０の筒状部７１を押し潰すようにした場合について述べた。しかしながら本発明はこれに限らず、種々の構造でなる移動体を操作ダイヤル５２１の回転に伴って移動させることにより流動物容器８０の筒状部７１を潰すようにしても良い。
【０１９５】
例えば図３７（Ｂ）と対応する図３８（Ａ）に示す流動物吐出装置５３０は、幅方向に短い移動体５３３を設け、当該移動体５３３から幅方向に向けて軸体５３４を立設させ、この軸体５３４を中心に自在に回転するローラ５３５を挿通させている。ローラ５３５は、周側面の裏側部分と基板５１５との間に僅かな隙間を形成しており、この隙間に流動物容器８０の筒状部７１を挟み込む。
【０１９６】
この流動物吐出装置５３０は、操作ダイヤル５２１の回転に伴って移動体５３３、軸体５３４及びローラ５３５を一体として先端側へ移動させ、このときローラ５３５が流動物容器８０の筒状部７１との摩擦により適宜回転しながら、当該筒状部７１を潰してその容積を減少させるため、吐出部８４から流動物を吐出させることができる。
【０１９７】
また図３７（Ｂ）と対応する図３８（Ｂ）に示す流動物吐出装置５４０は、流動物吐出装置５３０と同様に幅方向に短い移動体５４３を設け、当該移動体５４３から幅方向に向けて２本の軸体５４４を立設させ、この軸体５４４を中心にそれぞれ自在に回転する２個のローラ５４５を挿通させている。２個のローラ５４５は、互いの周側面の間に僅かな隙間を形成しており、この隙間に流動物容器８０の筒状部７１を挟み込む。
【０１９８】
この流動物吐出装置５４０は、操作ダイヤル５２１の回転に伴って移動体５４３、軸体５４４及びローラ５４５を一体として先端側へ移動させ、このとき２個のローラ５４５が流動物容器８０の筒状部７１との摩擦により適宜回転しながら、当該筒状部７１を潰してその容積を減少させるため、吐出部８４から流動物を吐出させることができる。
【０１９９】
さらに図３７（Ｂ）と対応する図３８（Ｃ）に示す流動物吐出装置５５０は、第４の実施の形態による流動物吐出装置３０１における移動板３２２を幅方向に延長したような構成の移動板５５３が設けられている。この移動板５５３は、螺旋軸５２２の挿通箇所に孔部５５３Ｈが穿設され、その内周面に螺旋状の溝が刻まれている。また収容部５０２内には、第４の実施の形態と同様に２本の流動物容器９０が収容される。
【０２００】
この流動物吐出装置５５０は、操作ダイヤル５２１の回転に伴って移動板５５３を先端側へ移動させ、このとき移動板５５３が流動物容器９０の底部９２を先端側へ押し込んで蛇腹部９１の容積を徐々に削減していき、その削減分に相当する量の流動物をそれぞれの吐出部８４から吐出させることができる。
【０２０１】
［７．第７の実施の形態］
第７の実施の形態による流動物吐出装置６０１は、図３９及び図４０に示すように、固定部６０２及び移動印加部６０３により構成されている。固定部６０２は、第２の実施の形態による固定部１０２（図１７（Ａ））と同様、支持体１１０に２本の流動物容器７０Ａ及び７０Ｂが固定された構成となっている。
【０２０２】
移動印加部６０３は、フレーム６２０に操作ダイヤル６２１及び伝達部６２２が組み込まれている他、第５の実施の形態における軸体４２１、押付体４２３、ローラ４２４及び端部ガイド４２５とそれぞれ同様に構成された軸体６２３、押付体６２４、ローラ６２５及び軸受６２６を２組有している。
【０２０３】
フレーム６２０は、軸方向に長い直方体状に構成されており、その内部に伝達部６２２、押付体６２４及びローラ６２５等が収容される空間が形成されている。操作ダイヤル６２１は、扁平な円板状に形成されており、その軸体を軸方向に向けて、フレーム６２０における軸方向の一端側に隣接するように位置している。
【０２０４】
また操作ダイヤル６２１は、フレーム６２０側の中心に軸体６２１Ｃが立設されている。この軸体６２１Ｃの一端は、フレーム６２０に設けられた孔部を介して、当該フレーム６２０内に到達しており、所定のギアが取り付けられている。
【０２０５】
伝達部６２２は、複数のギアの組み合わせにより構成されており、フレーム６２０における操作ダイヤル６２１が設けられた一端側に収容されている。このギアの一部は、操作ダイヤル６２１の軸体６２１Ｃに取り付けられたギアと歯合している。
【０２０６】
２本の軸体６２３は、その軸体を軸方向に向けており、表裏方向に所定間隔を空けて、伝達部６２２を構成する一部のギアにそれぞれ取り付けられている。  各軸体６２３には、第５の実施の形態と同様に、押付体６２４の一方、ローラ６２５、押付体６２４の他方及び軸受６２６が順次挿通される。
【０２０７】
ここでローラ６２５に設けられた孔部は、軸体６２３の軸径とほぼ同等である一方、押付体６２４及び軸受６２６に設けられた孔部は軸体６２３の軸径よりも一回り大きく形成されている。また軸受６２６は、フレーム６２０に対し固定されている。
【０２０８】
ローラ６２５と押付体６２４の押付面６２４Ｓとの間には、第５の実施の形態と同様に比較的狭い隙間が形成される。さらに２個の押付体６２４は、押付面６２４Ｓと反対側の面が互いに接合されている。
【０２０９】
かかる構成により移動印加部６０３は、操作ダイヤル６２１に対し所定方向へ回転する力が加えられると、この力を伝達部６２２の各ギアを介して２本の軸体６２３に伝達する。このとき２本の軸体６２３は、互いに反対方向に回転するようになされている。２本の軸体６２３は、ローラ６２５と共に回転する。このとき押付体６２４及び軸受６２６は、いずれも回転せずにその位置を維持する。
【０２１０】
このように移動印加部６０３は、操作ダイヤル６２１が回転されると、２個の押付体６２４をいずれも回転させること無く、２個のローラ６２５を回転させるようになされている。
【０２１１】
以上の構成において、第７の実施の形態による流動物吐出装置７０１は、流動物容器７０Ａ及び７０Ｂが固定部６０２の支持体１１０に取り付けられると共に、それぞれの末端部７２が移動印加部６０３における押付体６２４の押付面６２４Ｓとローラ６２５との間に挿通される（図４０）。
【０２１２】
移動印加部６０３は、使用者により操作ダイヤル６２１に対し所定方向へ回転させるような力が加えられると、伝達部６２２の各ギアを回転させ、これに伴って２個の軸体６２３及びローラ６２５を互いに反対方向に回転させる。
【０２１３】
このとき移動印加部６０３は、ローラ６２５と押付体６２４との間に流動物容器７０を挟み込んでいるため、当該流動物容器７０との間に摩擦力を発生させ、当該流動物容器７０の筒状部７１を押し潰しながら、先端側へ移動していく。
【０２１４】
これにより流動物容器７０Ａ及び７０Ｂは、筒状部７１の容積を徐々に削減していき、その削減分に相当する量の流動物をそれぞれの吐出部７４から吐出する。このとき２個のローラ６２５がほぼ同一の回転数で互いに反対方向に回転するため、移動印加部６０３は、先端側へ向かってほぼ平行に移動する。これにより流動物吐出装置６０１は、流動物容器７０Ａ及び７０Ｂにおける筒状部７１の容積の削減量を、常にほぼ同等に揃えることができる。
【０２１５】
この結果、流動物吐出装置６０１は、流動物容器７０Ａ及び７０Ｂから支持体１１０の吐出部１１３を介してほぼ同量の流動物を吐出させることができる。このため使用者は、吐出された２種類の流動物を混合するだけで、最適な比率で混合された毛染め剤を生成することができる。
【０２１６】
また流動物吐出装置６０１は、第５の実施の形態による流動物吐出装置４０１と同様、操作ダイヤル６２１の回転量と、移動印加部６０３の軸方向への移動量と、流動物容器７０Ａ及び７０Ｂにおける筒状部７１の容積の削減量とをほぼ比例させることができるので、毛染め剤の生成量を容易に且つ直感的に調整させることができる。
【０２１７】
さらに流動物吐出装置６０１は、第５の実施の形態における収容部４０２のような流動物容器８０等を収容するための収容体が不要となるため、この第５の実施の形態よりも構成を簡略化することができる。
【０２１８】
以上の構成によれば、第７の実施の形態による流動物吐出装置６０１は、固定部６０２の支持体１１０に流動物容器７０Ａ及び７０Ｂを表裏方向に並列させるように取り付け、それぞれの末端部７２を移動印加部６０３のローラ６２５と押付体６２４との間に挟み込んだ状態とする。流動物吐出装置６０１は、操作ダイヤル６２１に回転させる力が加えられると、ローラ６２５と流動物容器７０の筒状部７１との摩擦により移動印加部６０３を先端側へ移動させながら、当該ローラ６２５と押付体６２４との間で当該筒状部７１を潰してその容積を同程度ずつ減少させ、それぞれの吐出部７４からほぼ同量の流動物を吐出させることができる。
【０２１９】
［８．第８の実施の形態］
第８の実施の形態による流動物吐出装置７０１は、図３９及び図４０とそれぞれ対応する図４２及び図４３に示すように、固定部６０２及び移動印加部７０３により構成されている。固定部６０２は、第２及び第７の実施の形態と同様、支持体１１０に２本の流動物容器７０Ａ及び７０Ｂが固定された構成となっている。
【０２２０】
移動印加部７０３は、第７の実施の形態による移動印加部６０３と比較して、２個の押付体６２４に代わる２個の押付体７２４を有する点が相違するものの、他の部分については同様に構成されている。
【０２２１】
押付体７２４は、第７の実施の形態と同様に押付面７２４Ｓとローラ６２５との間に比較的狭い隙間を形成する一方、第７の実施の形態と異なり、軸体６２３及びローラ６２５と一体に回転するようになされている。また押付面７２４Ｓは、摩擦係数が高められている。さらに２個の押付体７２４は、互いに接合されておらず、互いに独立して回転し得るようになされている。
【０２２２】
以上の構成において、第８の実施の形態による流動物吐出装置７０１は、流動物容器７０Ａ及び７０Ｂが固定部６０２の支持体１１０に取り付けられると共に、それぞれの末端部７２が移動印加部７０３における押付体７２４の押付面７２４Ｓとローラ６２５との間に挿通される（図４３）。
【０２２３】
移動印加部７０３は、使用者により操作ダイヤル６２１に対し所定方向へ回転させるような力が加えられると、伝達部６２２の各ギアを回転させ、これに伴って２個の軸体６２３、ローラ６２５及び押付体７２４を互いに反対方向に回転させる。
【０２２４】
このとき移動印加部７０３は、ローラ６２５と押付体６２４との間に流動物容器７０を挟み込んでいるため、図３１に示した流動物吐出装置４４０における移動印加部４４１の場合と同様に、その周りに流動物容器７０の筒状部７１を巻き付けると共に当該筒状部７１を押し潰しながら、先端側へ移動していく。
【０２２５】
これにより流動物容器７０Ａ及び７０Ｂは、筒状部７１の容積を徐々に削減していき、その削減分に相当する量の流動物をそれぞれの吐出部７４から吐出する。このとき移動印加部７０３は、第７の実施の形態と同様、先端側へ向かってほぼ平行に移動する。これにより流動物吐出装置７０１は、流動物容器７０Ａ及び７０Ｂにおける筒状部７１の容積の削減量を、常にほぼ同等に揃えることができる。
【０２２６】
この結果、流動物吐出装置７０１は、流動物容器７０Ａ及び７０Ｂそれぞれの吐出部７４から、ほぼ同量の流動物をそれぞれ吐出させることができる。また流動物吐出装置７０１は、第７の実施の形態による流動物吐出装置６０１と同様の作用効果を奏し得る。
【０２２７】
以上の構成によれば、第８の実施の形態による流動物吐出装置７０１は、固定部６０２の支持体１１０に流動物容器７０Ａ及び７０Ｂを表裏方向に並列させるように取り付け、それぞれの末端部７２を移動印加部６０３のローラ６２５と押付体６２４との間に挟み込んだ状態とする。流動物吐出装置６０１は、操作ダイヤル６２１に回転させる力が加えられると、ローラ６２５と流動物容器７０の筒状部７１との摩擦により移動印加部６０３を先端側へ移動させながら、当該ローラ６２５と押付体６２４との間で当該筒状部７１を潰してその容積を同程度ずつ減少させ、それぞれの吐出部７４からほぼ同量の流動物を吐出させることができる。
【０２２８】
［９．他の実施の形態］
なお本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２２９】
例えば第３の実施の形態（図２０等）において、支持板２１１及び流動物容器８０に代えて、第１の実施の形態における固定部２及び流動物容器７０を用いるようにしても良い。或いは第７及び第８の実施の形態において、支持体１１０及び流動物容器７０に代えて、固定部６８（図１５（Ｃ））及び流動物容器８０を用いるようにしても良い。
【０２３０】
また上述した実施の形態においては、２本の流動物容器７０Ａ及び７０Ｂ等に二剤方式の毛染め剤における２種類の流動物をそれぞれ収容する場合について述べたが、本発明はこれに限らず、例えば２液混合式の接着剤等、使用の直前に２種類の流動物（液状、ゲル状或いは泡状の物体）を所定の比率で混合させる場合等にも適用できる。
【０２３１】
さらに上述した実施の形態においては、２種類の流動物を１対１の容積比で混合する場合について述べたが、本発明はこれに限らず、２対１や５対１等、種々の容積比で混合する場合にも適用することができる。この場合、例えば流動物容器７０Ａ及び７０Ｂの断面積を混合したい容積比に応じて相違させることが考えられる。
【０２３２】
さらに上述した実施の形態においては、流動物容器７０の筒状部７１を樹脂材料によって構成すると共に可撓性を持たせる場合について述べたが、本発明はこれに限らず、例えば筒状部７１を金属材料等の種々の材料により構成しても良い。また、例えばいわゆるブローボトルや袋状の容器等、種々の容器を流動物容器７０としても良い。要は、筒状部７１に外力を加えることにより変形してその容積を削減させ、削減された容積に応じた量の流動物を吐出部７４から吐出させることができれば良い。流動物容器８０及び９０についても同様である。
【産業上の利用可能性】
【０２３３】
本発明は、２液式の毛染め剤や接着剤等の流動物を容器から吐出させる場合に利用できる。
【符号の説明】
【０２３４】
１、１０１、２０１、３０１、４０１、５０１、６０１、７０１、８０１……流動物吐出装置、２、１０２、６０２……固定部、３、１０３……収容印加部、１０、１１０……支持体、１１、１１１……基部、１３、１１３……吐出部、１３Ｓ……吐出口、１５、１１５、２１５、３１５、４１５、５１５……基板、１６、１１６、２１６、３１６……押板、１６Ｐ、１１６Ｐ、１２６Ｐ、２１６Ｐ……押部、１６Ｒ、１１６Ｒ、１２６Ｒ……補強部、７０、８０、９０……流動物容器、７１……筒状部、７２……末端部、７３……蓋部、７４、８４……吐出部、７５……装着部、９１……蛇腹部、９２……底部、２１１、３１１……支持板、２１２……保護板、３０２、４０２、５０２……収容部、３０３、４０３……移動部、３１７、５１７……底板、３２１、５２１、６２１……操作ダイヤル、３２２……移動板、４２０、５０３、６０３、７０３……移動印加部、４２１……軸体、４２３、６２４、７２４……押付体、４２３Ｓ、６２４Ｓ、７２４Ｓ……押付面、４２４、６２５……ローラ、５１６……表板、５２２……螺旋軸、５２３……移動体、６２０……フレーム、６２２……伝達部。
【図１】
2015020799.tif 000003
【図２】
2015020799.tif 000004
【図３】
2015020799.tif 000005
【図４】
2015020799.tif 000006
【図５】
2015020799.tif 000007
【図６】
2015020799.tif 000008
【図７】
2015020799.tif 000009
【図８】
2015020799.tif 000010
【図９】
2015020799.tif 000011
【図１０】
2015020799.tif 000012
【図１１】
2015020799.tif 000013
【図１２】
2015020799.tif 000014
【図１３】
2015020799.tif 000015
【図１４】
2015020799.tif 000016
【図１５】
2015020799.tif 000017
【図１６】
2015020799.tif 000018
【図１７】
2015020799.tif 000019
【図１８】
2015020799.tif 000020
【図１９】
2015020799.tif 000021
【図２０】
2015020799.tif 000022
【図２１】
2015020799.tif 000023
【図２２】
2015020799.tif 000024
【図２３】
2015020799.tif 000025
【図２４】
2015020799.tif 000026
【図２５】
2015020799.tif 000027
【図２６】
2015020799.tif 000028
【図２７】
2015020799.tif 000029
【図２８】
2015020799.tif 000030
【図２９】
2015020799.tif 000031
【図３０】
2015020799.tif 000032
【図３１】
2015020799.tif 000033
【図３２】
2015020799.tif 000034
【図３３】
2015020799.tif 000035
【図３４】
2015020799.tif 000036
【図３５】
2015020799.tif 000037
【図３６】
2015020799.tif 000038
【図３７】
2015020799.tif 000039
【図３８】
2015020799.tif 000040
【図３９】
2015020799.tif 000041
【図４０】
2015020799.tif 000042
【図４１】
2015020799.tif 000043
【図４２】
2015020799.tif 000044
【図４３】
2015020799.tif 000045